(57)【要約】【課題】軽量化を図りながらも、埋め戻し作業時の土圧等の影響を受けることなく、水道用メータを良好に取り付けることができる複式メータユニットを提供する。【解決手段】複数列の一次側配管５，５と、複数列の一次側配管５，５と複数列の二次側配管７，７とを備え、一次側配管５，５と二次側配管７，７との間をメータ着脱部として水道用メータを複数並列に接続可能な複式メータユニットであって、一次側配管５，５と二次側配管７，７とを配置するための合成樹脂製の樹脂ベース８を備え、樹脂ベース８は、底壁８Ａを備え、底壁８Ａが厚み方向に撓むことを抑制する抑制部材１，１が底壁８Ａに設けられている。【選択図】図１
2019035281.tif 000002
【特許請求の範囲】
【請求項１】
複数列の一次側配管と、該複数列の一次側配管と略同軸に設けられた複数列の二次側配管とを備え、前記一次側配管と前記二次側配管との間をメータ着脱部として水道用メータを複数並列に接続可能な複式メータユニットであって、
前記一次側配管と前記二次側配管とを配置するための合成樹脂製の樹脂ベースを備え、
前記樹脂ベースは、底壁を備え、
前記底壁が厚み方向に撓むことを抑制する抑制部材が該底壁に設けられていることを特徴とする複式メータユニット。
【請求項２】
前記樹脂ベースは、前記一次側配管及び前記二次側配管を取り付けるための取付部を備え、少なくとも一方の取付部に位置する取付部材と、該取付部材と前記抑制部材とを繋ぐ接続部と、を備えていることを特徴とする請求項１に記載の複式メータユニット。
【請求項３】
前記取付部は、前記底壁から突出しており、前記接続部は、前記抑制部材に対して垂直方向又は斜め方向に延びていることを特徴とする請求項２に記載の複式メータユニット。
【発明の詳細な説明】
【技術分野】
【０００１】
本発明は、複数の水道用メータを並列に接続可能とした複式メータユニットに関する。
【背景技術】
【０００２】
かかる複式メータユニットとしては、４世帯分（４個）の水道用メータをベース内に収容できるようにしたものが提案されている（例えば特許文献１参照）。
【０００３】
上記特許文献１の複式メータユニットは、工場出荷時に予めベースの一次側と二次側に止水栓や逆止弁を備えた必要な配管（一次側配管と二次側配管）が組み付けられているため、現場では、一次側配管と二次側配管との間に水道用メータを取り付けるだけで配管作業が完了する。しかし、複数列の金属製の一次側配管と複数列の金属製の二次側配管とをベースに組み付けているため、複式メータユニットの重量が増大し、取り扱い性が悪い。そこで、複式メータユニットの軽量化を図るために、ベースを合成樹脂にて構成した複式メータユニットが提案されている（例えば特許文献２）。
【先行技術文献】
【特許文献】
【０００４】
【特許文献１】特開２００９−２９３２８２号公報
【特許文献２】特開２００８−９５８７７号公報
【発明の概要】
【発明が解決しようとする課題】
【０００５】
上記特許文献２の構成の複式メータユニットを施工する際に次のような不都合が発生していた。複式メータユニットを施工するには、まず複式メータユニットを土中に埋設するための土の掘削作業を行う。掘られたスペースに複式メータユニットを配置するとともに給水するための給水管との接続及び需要者側の配管との接続を行う。その後、複式メータユニットの周辺の土を埋め戻す埋め戻し作業を行う。この埋め戻し作業時において土を固める時に加わる土圧が前記給水管や需要者側の配管に加わった場合に、その土圧によって一次側配管や二次側配管に応力が作用し、この応力によってベースの底壁が反ってしまう。このため、埋め戻し作業後に行う水道用メータの取り付けを行うことができないという不都合が発生していた。
【０００６】
本発明は前述の状況に鑑み、解決しようとするところは、軽量化を図りながらも、埋め戻し作業時の土圧等の影響を受けることなく、水道用メータを良好に取り付けることができる複式メータユニットを提供するものである。
【課題を解決するための手段】
【０００７】
本発明の複式メータユニットは、前述の課題解決のために、複数列の一次側配管と、該複数列の一次側配管と略同軸に設けられた複数列の二次側配管とを備え、前記一次側配管と前記二次側配管との間をメータ着脱部として水道用メータを複数並列に接続可能な複式メータユニットであって、前記一次側配管と前記二次側配管とを配置するための合成樹脂製の樹脂ベースを備え、前記樹脂ベースは、底壁を備え、前記底壁が厚み方向に撓むことを抑制する抑制部材が該底壁に設けられていることを特徴としている。
【０００８】
本発明によれば、抑制部材が合成樹脂製の樹脂ベースの底壁に設けられているので、底壁の保形強度を高めることができる。これによって、埋め戻し作業時において土を固める時に加わる土圧に起因する応力が一次側配管や二次側配管に加わった場合でも、底壁が厚み方向に撓むことを抑制部材で抑制することができるので、底壁が反ることがなく、一次側配管や二次側配管の変形が阻止される。
【０００９】
又、本発明の複式メータユニットは、前記樹脂ベースが、前記一次側配管及び前記二次側配管を取り付けるための取付部を備え、少なくとも一方の取付部に位置する取付部材と、該取付部材と前記抑制部材とを繋ぐ接続部と、を備えていてもよい。
【００１０】
上記のように、取付部に位置する取付部材と抑制部材とが接続部で繋がっていることにより、抑制部材へ伝わる応力を取付部材と接続部とに分散させることで、抑制部材の強度アップを図ることができ、底壁が反ることを良好に抑制することができる。
【００１１】
又、本発明の複式メータユニットは、前記取付部が、前記底壁から突出しており、前記接続部は、前記抑制部材に対して垂直方向又は斜め方向に延びていてもよい。
【００１２】
上記のように、接続部が、抑制部材に対して垂直方向又は斜め方向に延びていることによって、接続部が突っ張りとなって、底壁が反ることを効果的に抑制することができる。
【発明の効果】
【００１３】
本発明によれば、抑制部材を合成樹脂製の樹脂ベースの底壁に設けることによって、軽量化を図りながらも、埋め戻し作業時の土圧等の影響を受けることなく、水道用メータを良好に取り付けることができる複式メータユニットを提供することができる。
【図面の簡単な説明】
【００１４】
【図１】第１の抑制プレートを取り付けた複式メータユニットの縦断側面図である。
【図２】同複式メータユニットの平面図である。
【図３】第１の抑制プレートを示し、（ａ）は平面図、（ｂ）は側面図である。
【図４】第２の抑制プレートを取り付けた複式メータユニットの概略平面図である。
【図５】第３の抑制プレートを取り付けた複式メータユニットの縦断側面図である。
【図６】同複式メータユニットの平面図である。
【図７】第３の抑制プレートを示し、（ａ）は平面図、（ｂ）は側面図である。
【図８】第４の抑制プレートを取り付けた複式メータユニットの縦断側面図である。
【図９】同複式メータユニットの平面図である。
【図１０】左右方向一方の第４の抑制プレートを示し、（ａ）は平面図、（ｂ）は側面図である。
【図１１】左右方向他方の第４の抑制プレートを示し、（ａ）は平面図、（ｂ）は側面図である。
【図１２】第５の抑制プレートを取り付けた複式メータユニットの縦断側面図である。
【図１３】第１の枠部材に配管類を取り付けて樹脂ベースに収容した複式メータユニットの縦断側面図である。
【図１４】同複式メータユニットの平面図である。
【図１５】第２の枠部材に配管類を取り付けて樹脂ベースに収容した複式メータユニットの縦断側面図である。
【図１６】同複式メータユニットの平面図である。
【発明を実施するための形態】
【００１５】
図１及び図２に、第１の抑制プレート（抑制部材）１，１を取り付けた本発明の複式メータユニットＡを示している。この複式メータユニットＡは、水道水が流入する流入口２Ａが形成され、該流入口２Ａからの水道水を複数（ここでは２個）の流路へ分岐させるための分岐部である分岐ヘッダ２と、この分岐ヘッダ２の２個の流出口に一端が接続され、かつ、他端部に水道用メータ３（図５参照）の流入側端部が接続される接続部である継手部４を備えた２個の一次側配管５，５と、一次側配管５，５と略同軸に設けられ水道用メータ３の流出側端部が接続される接続部である継手部６を備えた２個の二次側配管７，７と、前記分岐ヘッダ２と２個の一次側配管５，５と２個の二次側配管７，７とを配置（収容）する合成樹脂製の樹脂ベースである下枡８と、下枡８の上端開放部を閉じる合成樹脂製の上枡９と、を備えて構成されている。尚、下枡８と上枡９とで収容ボックスを構成する。前記複式メータユニットＡは、例えば低層集合住宅において複数の世帯の水道用メータ３を１個の収容ボックス内に配置（収容）できるように構成されたものである。以下において、図２における前後方向及び左右方向を図に示す方向として説明する。尚、ここでは、抑制部材として板状の抑制プレートを示しているが、丸棒や角材等であってもよい。
【００１６】
下枡８は、板状で長方形状の底壁８Ａと、底壁８Ａの外周縁部から上方に延びる側壁８Ｂと、を備えている。側壁８Ｂの上端には、外側に突出して上枡９の下端を載置支持する鍔部８Ｃを備えている。この鍔部８Ｃを備えることによって、上枡９を載置させる載置面積を増大させることができ、上枡９を安定良く載置することができるだけでなく、上枡９から受ける重量を分散することができる。この下枡８が合成樹脂で構成されているので、軽量化を図ることができるものの、下枡８の保形強度が低下する。これを解消するために、下枡８を構成する底壁８Ａの上面（表面）に２枚の金属製の第１の抑制プレート１，１を設けている。第１の抑制プレート１，１は、底壁８Ａが厚み方向に撓むことを抑制するために設けられている。各抑制プレート１は、図３（ａ），（ｂ）にも示すように、板状で長方形状に構成され、長手方向両端部のそれぞれに左右一対のビス孔１Ａ，１Ａが形成されている。これら２枚の第１の抑制プレート１，１は、下枡８の上面に所定間隔を置いて長手方向に沿う姿勢に配置され、複数（図２では４個）のビス１０によりそれぞれ固定されている。
【００１７】
分岐ヘッダ２は、水道水を供給する供給管（図示せず）が接続される流入口２Ａが形成される流入管部２ａと、この流入管部２ａの前後方向（水道水の流れ方向）終端から直交する左右方向両側に延びる一直線状の分岐管部２ｂと、この分岐管部２ｂの左右両端の２箇所から前後方向後方へ延びる２本の支流管部２ｃとを備えている。また、分岐ヘッダ２の流入管部２ａが、下枡８の側壁８Ｂの前側の左右中央に下方に少し凹むように切欠き形成された切欠き８Ｋに受け止め支持されている。また、分岐ヘッダ２の分岐管部２ｂの左右両外側端の２箇所に左右方向外側に延びる板部２ｄ，２ｄを備え、板部２ｄ，２ｄを底壁８Ａから上方に突出形成された前側の取付部１１，１１の上端に当接した状態で両者をボルト１２，１２とナット１３，１３により連結することにより、分岐ヘッダ２を底壁８Ａに固定している。具体的には、ボルト１２，１２を下枡８の下方から挿入してボルト１２，１２の先端部を板部２ｄ，２ｄの上方に突出させ、その突出したボルト１２，１２の先端部にナット１３，１３を螺合する。
【００１８】
各一次側配管５は、支流管部２ｃの各流出口に連結するための継手部１４と、手動ハンドル１５を回転させることにより支流管部２ｃからの水道水が水道用メータ３側へ移動することを阻止するための開閉自在な止水栓１６と、支流管部２ｃからの水道水を水道用メータ３へ受け渡すために水道用メータ３の流入側端部（流れ方向上手側端部）に接続される前述の継手部４と、を備えている。前記のように底壁８Ａに固定された分岐ヘッダ２に、一次側配管５を接続することによって、一次側配管５が、分岐ヘッダ２を介して下枡８に固定されることになる。このように、一次側配管５が、下枡８に固定されていれば、交換やメンテナンスのために水道用メータ３を取り外しても、下枡８に対する一次側配管５の位置が変化することがないから、再度水道用メータ３を取り付ける作業を容易に行うことができる。
【００１９】
各二次側配管７は、水道用メータ３からの水道水を受け取るために水道用メータ３の流出側端部（流れ方向下手側端部）に接続される前述の継手部６と、二次側に流れた水道水が水道用メータ３側へ逆流することを阻止するための逆止弁１７と、二次側配管７を通った水道水を各需要者へ案内するための配管（図示せず）に接続するための継手部１８と、を備えている。
【００２０】
各二次側配管７は、図１及び図２に示すように、下枡８の底壁８Ａの前後方向後端部に上方に突出形成され、かつ、前側の取付部１１，１１よりも低い高さに構成されている後側の左右一対の取付部１９，１９（図１では一方のみ図示）に固定される。詳述すれば、逆止弁１７には、それの下端から下方に延びる縦部（図示せず）と、該縦部の下部から左右両側に延びる左右の板部２２，２２と、を備え、それら板部２２，２２には、ボルト２０，２０を挿通するための貫通孔（図示せず）が形成されている。これら貫通孔に対応する前記取付部１９，１９の上端に貫通孔（図示せず）が形成されている。従って、それら取付部１９，１９の貫通孔にボルト２０，２０の先端部を底壁８Ａの下方から上方に向けて挿通させてから、板部２２，２２の貫通孔を通して板部２２，２２の上方に突出させる。その突出したボルト２０，２０の先端部にナット２１，２１をそれぞれ螺合して締め付けることにより、二次側配管７，７を下枡８の底壁８Ａに固定できる。
【００２１】
図１及び図２に示すように、水道用メータ３が取り付けられていない前記構成の複式メータユニットＡを現場に搬送して施工するには、まず複式メータユニットＡを土中に埋設するための土の掘削作業を行う。掘られたスペースに複式メータユニットＡを配置するとともに給水するための給水管との接続及び需要者側の配管との接続を行う。その後、複式メータユニットＡの周辺の土を埋め戻す埋め戻し作業を行う。この埋め戻し作業時において土を固める時に加わる土圧に起因する応力が一次側配管５，５や二次側配管７，７に加わった場合でも、底壁８Ａが厚み方向に撓むことを抑制プレート１，１で抑制することができるので、底壁８Ａが反ることがなく、一次側配管５，５や二次側配管７，７の変形が阻止される。埋め戻し作業後に水道用メータ３（図５参照）の取り付けを行ってから、上枡９を取り付けた後、上枡９に土をかけて作業を終了する。
【００２２】
図１〜図３では、細長い長方形状の２枚の第１の抑制プレート１，１を取り付けた場合を示したが、図４に示すように、平面視略Ｈ型に構成された１枚の板状で金属製の第２の抑制プレート２３を底壁８Ａの上面に複数（図４では８個）のビス２４により固定した状態を示している。図４では、第２の抑制プレート２３で広い範囲に亘って底壁８Ａの上面を覆っている。
【００２３】
また、図５〜図７には、板状で金属製の２枚の第３の抑制プレート２５，２５（第１プレート１と長さ寸法及び幅寸法が同一のもの）を示し、これら第３の抑制プレート２５，２５の一端（後端）と前記前後の取付部１１，１９のうちの一方（後側）の取付部１９，１９に固定された取付部材としての板状の取付プレート２６，２６とが接続部２７，２７で繋がれている。つまり、各第３の抑制プレート２５には、それの一端から斜め上方に抑制プレート２５の幅と同一幅で延びる板状の接続部２７と、接続部２７の遊端（後端）から抑制プレート部２５の幅よりも大きな幅に構成され、かつ、抑制プレート２５と平行に構成された取付プレート２６と、を備えている。これら第３の抑制プレート２５、取付プレート２６、接続部２７は、１枚の金属板から構成されている。
【００２４】
図７（ａ）に示すように、抑制プレート２５，２５の一端部（先端部）にねじを挿通させるための左右一対の貫通孔２５ａ，２５ａが形成され、取付プレート２６の左右方向両端部に前記ボルト２０，２０が挿通する貫通孔２６ａ，２６ａが形成されている。従って、図６に示すように、抑制プレート２５，２５の一端部（先端部）が複数のビス２８により固定され、取付プレート２６，２６が前記ボルト２０とナット２１により固定されている。このように、各取付部１９に位置する取付プレート２６と抑制プレート２５とが接続部２７で繋がっていることにより、抑制プレート２５へ伝わる応力を取付プレート２６と接続部２７とに分散させることで、抑制プレート２５の強度アップを図ることができ、底壁８Ａが反ることを良好に抑制することができる。また、接続部２７が、抑制プレート２５に対して斜め方向（垂直方向でもよい）に延びていることによって、接続部２７が突っ張りとなって、底壁８Ａが反ることを効果的に抑制することができる。また、取付部１９に取付プレート２６が前記ボルト２０とナット２１により固定されていることによって、取付部１９が撓むことも抑制することができる。尚、左右の取付プレート２６，２６を左右方向において板状の連結部材（図示せず）で連結してもよい。このように構成することによって、抑制プレート２５，２５、接続部２７，２７、取付プレート２６，２６、連結部材を一枚のプレートから構成することができる。
【００２５】
図４〜図６に示すように、抑制プレート２５には、水道用メータ３を逆向きに取り付けられることを阻止するための阻止手段を備えている。阻止手段は、水道用メータ３の二次側底部３Ｂよりも低く、一次側底部３Ａよりも上方に位置する上端を有する突出部２９から構成され、この突出部２９を、水道用メータ３の二次側底部３Ｂの真下に位置する抑制プレート２５に取り付けている。つまり、水道用メータ３の一次側底部３Ａが二次側底部３Ｂよりも低くなっているため、水道用メータ３の二次側底部３Ｂよりも低く、一次側底部３Ａよりも上方に位置する上端を有する突出部２９を、水道用メータ３の二次側底部３Ｂの真下に配置しておけば、図５に示すように、水道用メータ３を正常な向きでの接続を行う場合に、突出部２９が水道用メータ３に当接することがなく、水道用メータ３の取り付けを行うことができる。これとは逆に正常な向きとは反対の向きで水道用メータ３を取り付けようとする（水道用メータ３の一次側を二次側配管７に接続しようとする）と、水道用メータ３の一次側底部３Ａが突出部２９の上端に当接して水道用メータ３を所定位置まで下げることができない。このため、二次側配管７の継手部６に水道用メータ３を接続することができない。よって、水道用メータ３の向きを間違えて接続することを阻止することができ、正常な向きでの水道用メータ３の接続を常に行うことができる。突出部２９としては、高さ調整が可能なボルトから構成しているが、高さが一定の棒状体などであってもよい。尚、ボルトからなる突出部２９は、抑制プレート２５に固定された固定部材３０に形成の螺子孔（図示せず）に螺合可能に構成されており、不要時には、取り外しておくことも可能である。尚、固定部材３０の下端には、図７（ａ）に示す抑制プレート２５に形成された取付孔２５ｂに押込み嵌合されて固定部材３０を抑制プレート２５に固定するための押込部（図示せず）を備えている。
【００２６】
図８〜図１１（ａ），（ｂ）には、板状で金属製の２枚の第４の抑制プレート３１，３１（第１プレート１と幅寸法は同一であるが、長さが第１プレート１よりも長いもの）が示されている。各第４の抑制プレート３１の一端（後端）には、図５と同様に、斜め上方に延びる前記接続部２７を備え、該接続部２７の遊端（後端）には、左右方向に延びるとともに後側の取付部１９に固定される前記取付プレート２６を備えている。また、各第４の抑制プレート３１の他端（前端）には、左右方向外側に延びる第１プレート部３２を備え、この第１プレート部３２の前端には、斜め上方へ延びる傾斜プレート部３３を備え、この傾斜プレート部３３の前端には、左右方向内側に延びる第２プレート部３４を備えている。第２プレート部３４には、ボルト１２を挿通するための貫通孔３４ａ（図１０（ａ）及び図１１（ａ）参照）が形成されている。従って、前側の取付部１１に下枡８の下方からボルト１２を挿入し、挿入したボルト１２の先端部を前側の取付部１１の上端に形成の貫通孔（図示せず）及び第２プレート部３４の貫通孔３４ａに挿通させる。更に、板部２ｄに挿通させて上方に突出したボルト１２の先端部にナット１３を螺合させることによって、板部２ｄ及び第２プレート部３４を前側の取付部１１を介して底壁８Ａに固定することができる。この第２プレート部３４は、前側の取付部１１に固定される取付プレート（取付部材）を構成し、傾斜プレート部３３が、第４の抑制プレート３１から延びる第１プレート部３２と第２プレート部３４とを繋ぐ接続部を構成する。このように、第４の抑制プレート３１が前側の取付部１１及び後側の取付部１９に連結固定されることによって、底壁８Ａが撓むことを抑制することができるだけでなく、前後の取付部１１，１９が撓むことも抑制することができる。尚、左右の取付プレート２６，２６を左右方向において板状の第１連結部材（図示せず）で連結するとともに、左右の第２プレート部３４，３４を左右方向において板状の第２連結部材（図示せず）で連結してもよい。このように構成することによって、抑制プレート３１，３１、接続部２７，２７、取付プレート２６，２６、第１連結部材、第１プレート部３２，３２、傾斜プレート部３３，３３、第２プレート部３４、３４、第２連結部材を環状の一枚のプレートから構成することができ、抑制プレート３１，３１の強度（剛性）を高めることができる。
【００２７】
図１２には、前後の取付部１１，１９間よりも少し長い寸法に構成された板状で長方形状の第５の抑制プレート３５を示している。また、前後の取付部１１，１９が、図１、図５及び図８では、底壁８Ａから突出形成されていたが、図１２では、下端が開放された前後の取付部１１，１９が底壁８Ａとは別体形成され、分岐ヘッダ２を前側の取付部１１を介して底壁８Ａに固定し、二次側配管７を後側の取付部１９を介して底壁８Ａに固定している。この固定時には、抑制プレート３５を前後の取付部１１，１９と底壁８Ａとの間に挟み込んだ状態で同時に固定している。詳述すれば、底壁８Ａの前端部に形成された貫通孔（図示せず）及び抑制プレート３５の前端部に形成された貫通孔（図示せず）にボルト１２の先端を底壁８Ａの下から挿入したのち、前側の取付部１１の上端に形成された貫通孔（図示せず）及び分岐管部２ｂの板部２ｄに形成された貫通孔（図示せず）にボルト１２の先端部を通して上方へ突出させ、該突出したボルト１２の先端部にナット１３を螺合させることによって、分岐ヘッダ２、前側の取付部１１、抑制プレート３５の前端部を底壁８Ａの前端部に固定することができる。尚、図１２では、分岐ヘッダ２の左端部を底壁８Ａに固定した場合を示しているが、分岐ヘッダ２の右端部も同様に底壁８Ａに固定することになる。また、２本の二次側配管７を底壁８Ａに固定する場合も、分岐ヘッダ２と同様に行うが、いずれの固定も同一であるため、左側の二次側配管７を底壁８Ａに固定する場合を説明する。底壁８Ａの後端部の左側に形成された２つの貫通孔（図示せず）の一方（左側）の貫通孔及び抑制プレート３５の後端部に形成された貫通孔（図示せず）にボルト２０の先端を底壁８Ａの下から挿入したのち、後側の取付部１９の上端に形成された左側の貫通孔（図示せず）及び逆止弁１７の左側の板部２２に形成された貫通孔（図示せず）にボルト２０の先端を通して上方へ突出したボルト２０の先端部にナット２１を螺合させることによって、二次側配管７、後側の取付部１９の左側端部、抑制プレート３５の後端部を底壁８Ａの後端部に固定することができる。続いて、底壁８Ａの後端部の左側に形成された２つの貫通孔（図示せず）の他方（右側）の貫通孔にボルト２０の先端を底壁８Ａの下から挿入したのち、後側の取付部１９の上端に形成された右側の貫通孔（図示せず）及び逆止弁１７の右側の板部２２に形成された貫通孔（図示せず）にボルト２０の先端部を通して上方へ突出させ、該突出したボルト２０の先端部にナット２１を螺合させることによって、二次側配管７、後側の取付部１９の右側端部を底壁８Ａの後端部に固定することができる。この場合、抑制プレート３５を左側のボルト２０とナット２１とで固定するため、後側の取付部１９の下端のうちの抑制プレート３５に当接しない後側の取付部１９の右側部分を抑制プレート３５の厚み分だけ上下の寸法を長くしておくことになる。
【００２８】
図１３及び図１４では、略矩形状（長方形状）の第１枠部材３６に配管類、つまり一次側配管５と二次側配管７とを取り付けて一体化（ユニット化）し、その第１枠部材３６で一体化された一次側配管５と二次側配管７とを下枡８に配置（載置）している。第１枠部材３６には、止水栓１６の底部を受けるアーチ状の第１受部３７，３７（図１３では一方のみ図示）を備えるとともに逆止弁１７の底部を受けるアーチ状の第２受部３８を備えている。また、第１枠部材３６の前後板部分には、８本の螺軸４８が所定間隔をおいて立設されている。また、各止水栓１６の左右側面には、左右方向外側に延びる第１板部３９，３９を備えており、第１板部３９，３９に形成の貫通孔（図示せず）に前記螺軸４８，４８を挿通させてから、螺軸４８，４８の先端部にナット４０，４０を螺合することによって、止水栓１６を第１枠部材３６に固定することができる。また、逆止弁１７の左右側面には左右方向外側に延びる第２板部４１，４１を備えており、第２板部４１，４１に形成の貫通孔（図示せず）に前記螺軸４８，４８を挿通させてから、螺軸４８，４８の先端部にナット４０，４０を螺合することによって、各逆止弁１７を第１枠部材３６に固定することができる。そして、２枚の第６の抑制プレート４２，４２を下枡８の前後の縁８Ｆ，８Ｇの左右両端部にそれぞれビス止めしている。各抑制プレート４２は、下枡８の前後の縁８Ｆ，８Ｇにビス止めされる前後一対の第１プレート部４２Ａと、下枡８の底壁８Ａの上面に当接した状態で配置されるプレート本体部４２Ｂと、プレート本体部４２Ｂと前後一対の第１プレート部４２Ａとを連結する上下姿勢の第２プレート部４２Ｃ，４２Ｃと、を備えている。
【００２９】
図１５及び図１６では、一次側配管５と二次側配管７とを一体化した第１枠部材３６（図１３及び図１４参照）よりも前後方向に長い矩形状（長方形状）の第２枠部材４３を用いている。この第２枠部材４３には、分岐ヘッダ２の底部を受けるアーチ状の第１受部４４を備えるとともに逆止弁１７の底部を受けるアーチ状の第２受部４５を備えている。また、第２枠部材４３の前後板部分には、６本（前側が２本で後側が４本）の螺軸４８が所定間隔をおいて立設されている。また、分岐ヘッダ２の左右側面には左右方向外側に延びる第１板部４６，４６を備えており、第１板部４６，４６に形成の貫通孔（図示せず）に前記螺軸４８，４８を挿通させてから、螺軸４８，４８の先端部にナット４０，４０を螺合することによって、分岐ヘッダ２を第２枠部材４３に固定している。また、各逆止弁１７の左右側面には左右方向外側に延びる第２板部４７，４７を備えており、第２板部４７，４７に形成の貫通孔（図示せず）に前記螺軸４８，４８を挿通させてから、螺軸４８，４８の先端部にナット４０，４０を螺合することによって、各逆止弁１７を第２枠部材４３に固定することができる。前述した同一構成の２枚の第６の抑制プレート４２，４２を、下枡８の前後の縁８Ｆ，８Ｇの左右両端部にそれぞれビス止めしている。
【００３０】
尚、本発明は、上記実施形態に限定されるものではなく、本発明の要旨を逸脱しない範囲で種々の変更が可能である。
【００３１】
上記実施形態では、抑制プレート１，２３，２５，３１，３５，４２を底壁８Ａの上面に配置したが、底壁８Ａの下面に配置してもよいし、例えばインサート成形により抑制プレートを底壁８Ａの内部に埋設してもよい。尚、抑制プレートの枚数及び大きさ並びに形状は、埋め戻し作業時において土を固める時に加わる土圧に応じて設定することが好ましい。
【００３２】
また、上記実施形態では、図１３〜図１６に示すように、一つの枠部材３６又は４３に一次側配管５と二次側配管７とを取り付けたが、一次側配管５と二次側配管７とを別々の枠部材、つまり２つの枠部材にそれぞれ取り付けて下枡８に配置してもよい。
【００３３】
また、上記実施形態では、図１３〜図１６に示すように、下枡８に第１枠部材３６及び第２枠部材４３を下枡８に対して規制のないフリー状態としているが、下枡８に第１枠部材３６及び第２枠部材４３をボルトにより固定してもよい。
【００３４】
また、上記実施形態では、２世帯分（２個）の水道用メータ３，３を備えた複式メータユニットＡを示したが、３世帯分（３個）以上の水道用メータを備えた複式メータユニットであってもよい。
【００３５】
また、上記実施形態では、樹脂ベースを、底壁８Ａと側壁８Ｂとで構成したが、底壁８Ａのみで構成することもできる。
【符号の説明】
【００３６】
１…第１の抑制プレート、１Ａ…ビス孔、２…分岐ヘッダ、２Ａ…流入口、２ａ…流入管部、２ｂ…分岐管部、２ｃ…支流管部、２ｄ…板部、３…水道用メータ、３Ａ…一次側底部、３Ｂ…二次側底部、４…継手部、５…一次側配管、６…継手部、６…継手部、７…二次側配管、８…下枡（樹脂ベース）、８Ａ…底壁、８Ｂ…側壁、８Ｃ…鍔部、８Ｆ，８Ｇ…縁、８Ｋ…切欠き、９…上枡、１０…ビス、１１，１９…取付部、１２…ボルト、１３…ナット、１４…継手部、１５…手動ハンドル、１６…止水栓、１７…逆止弁、１８…継手部、２０…ボルト、２１…ナット、２２…板部、２３…第２の抑制プレート、２４…ビス、２５…第３の抑制プレート、２５ａ…貫通孔、２５ｂ…取付孔、２６…取付プレート、２６ａ…貫通孔、２７…接続部、２８…ビス、２９…突出部（阻止手段）、３０…固定部材、３１…第４の抑制プレート、３２…第１プレート部、３３…傾斜プレート部（接続部）、３４…第２プレート部（取付プレート）、３４ａ…貫通孔、３５…第５の抑制プレート、３６…第１枠部材、３７…第１受部、３８…第２受部、３９…第１板部、４０…ナット、４１…第２板部、４２…第６の抑制プレート、４２Ａ…第１プレート部、４２Ｂ…プレート本体部、４２Ｃ…第２プレート部、４３…第２枠部材、４４…第１受部、４５…第２受部、４６…第１板部、４７…第２板部、４８…螺軸、Ａ…複式メータユニット
【図１】
2019035281.tif 000003
【図２】
2019035281.tif 000004
【図３】
2019035281.tif 000005
【図４】
2019035281.tif 000006
【図５】
2019035281.tif 000007
【図６】
2019035281.tif 000008
【図７】
2019035281.tif 000009
【図８】
2019035281.tif 000010
【図９】
2019035281.tif 000011
【図１０】
2019035281.tif 000012
【図１１】
2019035281.tif 000013
【図１２】
2019035281.tif 000014
【図１３】
2019035281.tif 000015
【図１４】
2019035281.tif 000016
【図１５】
2019035281.tif 000017
【図１６】
2019035281.tif 000018